(57)【特許請求の範囲】
【請求項１】
紙面に対してＸＹ方向に移動可能に本体の前に突設されるペンアームと、本体の前に設けられ作図範囲を示す開口を有するスケールとを備えた自動作図機であって、
前記スケールの下面に粘着性部材を貼付けたことを特徴とする自動作図機。
【請求項２】
紙面に対してＸＹ方向に移動可能に本体の前に突設されるペンアームと、本体の前に設けられ作図範囲を示す開口を有するスケールとを備えた自動作図機であって、
前記スケールの下面に粘着性部材を植設したことを特徴とする自動作図機。
【請求項３】
紙面に対してＸＹ方向に移動可能に本体の前に突設されるペンアームと、本体の前に設けられ作図範囲を示す開口を有するスケールとを備えた自動作図機であって、
前記本体の下面に前記スケールの作図範囲のＸ方向に対応した長さを有する粘着性部材を貼付けたことを特徴とする自動作図機。
【請求項４】
前記本体の下面に前記スケールの作図範囲のＸ方向に対応した長さを有する粘着性部材を貼付けたことを特徴とする請求項１乃至請求項２のいずれかに記載の自動作図機。
【請求項５】
前記開口の周縁に前記粘着性部材を植設または貼付したことを特徴とする請求項１ないし請求項４のいずれかに記載の自動作図機。
【発明の詳細な説明】
【０００１】
【発明の属する技術分野】
この発明は、作図情報に基づいてＸＹ方向へ移動するペンアームを有する自動作図機に関する。
【０００２】
【従来の技術】
従来から、作図情報を入力するキーボードを備えた本体と、この本体内にＸ方向に移動可能に設けられたＸキャリッジと、このＸキャリッジにＹ方向に移動可能に設けられたＹキャリッジと、先端部にペンが保持されその先端部側が上下動可能にＹキャリッジに設けられたペンアームと、前記作図情報に基づいてＸＹキャリッジをＸＹ方向へ移動制御する制御装置とを備えた自動作図機が知られている。
【０００３】
かかる自動作図機は、図９に示すように、本体１にスケール２が設けられており、このスケール２によって用紙Ｓの作図開始位置を決め、この位置を入力することによってその位置から作図していくようになっている。また、用紙Ｓは本体１の底部の四隅に設けた脚部（図示せず）によって押さえている。
【０００４】
【発明が解決しようとする課題】
しかしながら、このような自動作図機にあっては、用紙Ｓ１が小さい場合、前記脚部によって押さえることができず、このため、ペンアーム３がＸＹ方向へ移動すると、その移動とともに用紙Ｓ１も移動してしまい、適正な作図が行えなくなってしまうという問題があった。
【０００５】
この発明は、上記問題点に鑑みてなされたものであり、小さい用紙であっても適正に作図することのできる自動作図機を提供することを目的とする。
【０００６】
【課題を解決するための手段】
上記課題を解決するために、請求項１の発明は、紙面に対してＸＹ方向に移動可能に本体の前に突設されるペンアームと、本体の前に設けられ作図範囲を示す開口を有するスケールとを備えた自動作図機であって、
前記スケールの下面に粘着性部材を貼付けたことを特徴とする。
【０００７】
請求項２に記載の発明は、紙面に対してＸＹ方向に移動可能に本体の前に突設されるペンアームと、本体の前に設けられ作図範囲を示す開口を有するスケールとを備えた自動作図機であって、
前記スケールの下面に粘着性部材を植設したことを特徴とする。
【０００８】
請求項３に記載の発明は、紙面に対してＸＹ方向に移動可能に本体の前に突設されるペンアームと、本体の前に設けられ作図範囲を示す開口を有するスケールとを備えた自動作図機であって、
前記本体の下面に前記スケールの作図範囲のＸ方向に対応した長さを有する粘着性部材を貼付けたことを特徴とする。
【０００９】
請求項４に記載の発明は、前記本体の下面に前記スケールの作図範囲のＸ方向に対応した長さを有する粘着性部材を貼付けたことを特徴とする。
【００１０】
請求項５に記載の発明は、前記開口の周縁に前記粘着性部材を植設または貼付したことを特徴とする。
【００１１】
【発明の実施の形態】
以下、この発明に係る自動作図機の実施の形態を図面に基づいて説明する。
（実施の形態１）
図１ないし図３は自動作図機１０を示したものであり、１１は本体で、この本体１１の上面１１Ａには作図情報を入力する複数の操作キー１２が設けられた操作部１３と、入力した作図情報を表示する表示部１４とが設けられている。
【００１２】
本体１１の前端面１１Ｂの下側には透明なスケール１５が設けられており、その上側には、左右方向に延びた開口１６が形成されている。この開口１６からペンアーム１７が前方に突出しており、ペンアーム１７の先端部１７ａにはペン装着部１８が形成されている。ペンアーム１７は本体１１内に備えた図示しないＸキャリッジおよびＹキャリッジによってＸ軸方向（左右方向）およびＹ軸方向（前後方向）に移動するようになっている。
【００１３】
本体１１の底面１１Ｃには四隅に４つの脚部１８，１８，１８，１８が設けられ、本体１１の底面１１Ｂの前部側には、左右方向に延びた用紙押さえ部材１９が貼り付けられている。
【００１４】
スケール１５は、矩形の板体であって、その中央部に長方形状の開口２０が形成されている。このスケール１５の下面１５Ａには、ほぼ全面にわたって用紙押さえ部材２１が貼り付けられている。また、脚部１８の下面１８Ａと用紙押さえ部材１９，２１の下面１９Ａ，２１Ａは面一となっている。
【００１５】
本体１１の底面１１Ｃ及びスケール１５の下面１５Ａに各貼り付けられる用紙押さえ部材１９，２１は、例えば、ゴム、ウレタン、塩ビ等の透明な粘着性部材によって構成される。
【００１６】
次に、上記実施の形態の自動作図機１０の作用について説明する。
【００１７】
小さい用紙Ｈに文字等を作図する場合、まず、机等の平坦面に用紙Ｈを置き、本体１１をこの平坦面の上に載置してスケール１５及び本体１１の底面１１Ｃの前部を用紙Ｈの上に重ねる。そして、本体に入力された作図情報に基づいてペンアームをＸＹ方向に移動させることにより、用紙Ｈ上に作図させる。このとき、スケール１５の下面１５Ａ及び本体１１の底面１１Ｃの用紙押さえ部材１９，２１が紙面Ｈに当接しているので、作図中にペンアーム１７がＸＹ方向に移動しても、用紙Ｈは用紙押さえ部材１９，２１の粘着力によって、ペンに伴って移動してしまうことが防止され、小さい用紙Ｈであっても適正に作図することができる。
（実施の形態２）
図４は、自動作図機３０を示したものである。この自動作図機３０のスケール３１は、Ｘ方向に延びるベース部３２とこのベース部３２の両先端からＹ方向に延びるサイド部３３，３４とを有している。このベース部３２とサイド部３３，３４とに囲まれるエリアは、ペンアーム１７の作図範囲を示す開口となる。このスケール３１の下面３１Ａには、粘着性部材からなる用紙押さえ部材３５を貼り付けている。他の点は上記自動作図機１０と略同じに構成されているので、自動作図機１０と同一部分には同じ番号を付し、その説明を省略する。
【００１８】
このように、自動作図機３０においては、本体１１の底面１１Ｃ及びスケール３１の下面３１Ａに粘着性部材からなる用紙押さえ部材１９，３５を貼り付けたので、用紙Ｈが小さくても、用紙Ｈは用紙押さえ部材１９，３５の粘着力によって、ペンに移動に伴って移動してしまうことが防止され、小さい用紙Ｈであっても適正に作図することができる。
（実施の形態３）
図５は、自動作図機４０を示したものである。この自動作図機４０のスケール４１の下面４１Ａには、用紙押さえ部材４２が開口４３の周縁に沿って１重に、また、図６に示すように、スケール４１の下面４１Ａから一部分が突出するようにして植設されている。他の点は上記自動作図機１０と略同じに構成されているので、自動作図機１０と同一部分には同じ番号を付し、その説明を省略する。
【００１９】
図７，図８には、自動作図機４０に備えられるスケールの他の例を示している。
【００２０】
図７に示すスケール５１は、開口５２の周縁に沿ってドット状に用紙押さえ部材５３を植設させたものである。
【００２１】
図８に示すスケール６１は、開口６２の周縁に沿って波線状に用紙押さえ部材６３を植設させたものである。
【００２２】
さらに、自動作図機４０に備えられるスケールとしては、図７、図８に示すものの他、口４３の周縁に沿って２重の直線状に、または格子状に、または放射状に等用紙押さえ部材を植設したものであってもよい。
【００２３】
このように、自動作図機４０においては、本体１１の底面１１Ｂに粘着性部材からなる用紙押さえ部材１９を貼り付けるとともに、スケール４１の下面４１Ａには、粘着性部材からなる用紙押さえ部材４４を植設させているので、自動作図機１０と同様に、ペンアーム１７がＸＹ方向に移動しても、用紙Ｈは粘着性部材の粘着力によって、ペンに伴って移動してしまうことが防止され、小さい用紙Ｈであっても適正に作図することができる。
【００２４】
【発明の効果】
以上説明したように、請求項１の発明によれば、紙面に対してＸＹ方向に移動可能に本体の前に突設されるペンアームと、本体の前に設けられ作図範囲を示す開口を有するスケールとを備えた自動作図機であって、前記スケールの下面に粘着性部材を貼付けたので、ペンアームがＸＹ方向に移動しても、スケールの下面に貼り付けられた粘着性部材の粘着力によって、紙面がペンに伴って移動してしまうことが防止され、紙面が小さい場合であっても適正に作図することができる。
【００２５】
請求項２の発明によれば、紙面に対してＸＹ方向に移動可能に本体の前に突設されるペンアームと、本体の前に設けられ作図範囲を示す開口を有するスケールとを備えた自動作図機であって、前記スケールの下面に粘着性部材を植設したので、ペンアームがＸＹ方向に移動しても、スケールの下面に植設した粘着性部材の粘着力によって、紙面がペンに伴って移動してしまうことが防止され、紙面が小さい場合であっても適正に作図することができる。
【００２６】
請求項３の発明によれば、紙面に対してＸＹ方向に移動可能に本体の前に突設されるペンアームと、本体の前に設けられ作図範囲を示す開口を有するスケールとを備えた自動作図機であって、前記本体の下面に前記スケールの作図範囲のＸ方向に対応した長さを有する粘着性部材を貼付けたので、ペンアームがＸＹ方向に移動しても、本体の下面に貼り付けた粘着性部材の粘着力によって、紙面がペンに伴って移動してしまうことが防止され、紙面が小さい場合であっても適正に作図することができる。
【００２７】
請求項４の発明によれば、前記本体の下面に前記スケールの作図範囲のＸ方向に対応した長さを有する粘着性部材を貼付けたので、紙面の移動を防止する効果がさらに高くなる。
【００２８】
請求項５の発明によれば、前記開口の周縁に前記粘着性部材を植設または貼付したので、紙面の移動を防止する効果がさらに高くなる。
【図面の簡単な説明】
【図１】この発明に係る自動作図機を示した平面図である。
【図２】図１に示す自動作図機の底面図である。
【図３】図１に示す自動作図機の正面図である。
【図４】この発明の実施の形態２の自動作図機を示す底面図である。
【図５】この発明の実施の形態３の自動作図機を示す底面図である。
【図６】図５のＡ−Ａ線に沿う断面図である。
【図７】この発明の実施の形態３の自動作図機に備えられるスケールの他の例を示す底面図である。
【図８】この発明の実施の形態３の自動作図機に備えられるスケールの他の例を示す底面図である。
【図９】従来の自動作図機を示す平面図である。
【符号の説明】
１１      本体
１１Ａ    前端面
１１Ｃ    底面
１５      スケール
１５Ａ    下面
１７      ペンアーム
１９      用紙押さえ部材
２０      開口
２１      用紙押さえ部材
【図１】
0003630012.tif 000002
【図２】
0003630012.tif 000003
【図３】
0003630012.tif 000004
【図４】
0003630012.tif 000005
【図５】
0003630012.tif 000006
【図６】
0003630012.tif 000007
【図７】
0003630012.tif 000008
【図８】
0003630012.tif 000009
【図９】
0003630012.tif 000010